【事件の表示】
　特許第３２７６１２１号「繊維糊剤組成物」の請求項１に係る特許に対する特許異議の申立てについて、次のとおり決定する。
【結　論】
　特許第３２７６１２１号の請求項１に係る特許を維持する。
【理　由】
１．手続の経緯
　本件特許第３２７６１２１号は、平成５年８月１９日に特許出願され、平成１４年２月８日に特許権の設定登録（発明の数１）がされ、その後、その特許について、平成１４年１０月２１日付けで、特許異議申立人 松本油脂製薬株式会社（以下、「申立人」という。）から特許異議の申立てがされたものである。
　
２．特許異議の申立ての概要
　特許異議申立人は、以下の甲第１〜３号証を提出して、本件発明は、甲第１号証に記載された発明であるから、特許法第２９条第１項第３号の規定に該当し、特許を受けることができないものであって、本件特許は拒絶の査定をしなければならない特許出願に対してされたものであると主張している。
甲第１号証：特開平４−１５３３７１号公報
甲第２号証：府瀬川健蔵監修「改訂　ワックスの性質と応用」（１９８９年１０月５日、株式会社幸書房）第６〜７ページ
甲第３号証：社団法人日本油化学協会編「改訂三版　油脂化学便覧」（平成２年２月２８日、丸善株式会社）　第１３４〜１３５ページ
　
３．本件発明
　本件特許の請求項１に係る発明（以下、「本件発明」という。）は、特許査定時の明細書の請求項１に記載された以下の事項を発明の構成に欠くことができない事項とするものである。
「ケン化度４０モル％以上、平均重合度３００〜２０００のポリビニルアルコール系樹脂及び炭素数６以上のヒドロキシ脂肪酸またはその誘導体を含有してなり、ポリビニルアルコール系樹脂１００重量部に対して炭素数６以上のヒドロキシ脂肪酸又はその誘導体が０．１〜２０重量部配合されていることを特徴とする繊維糊剤組成物。」
　
４．甲号各証の記載
　甲第１号証には、以下の記載がある。
ア：「１　水分散性カチオン性糊剤と、炭素数１２以上のアニオン性界面活性剤を必須成分として含有してなる潤滑剤組成物を併用することを特徴とするチーズサイジング方法。
２　潤滑剤組成物が更にワックスを含有してなる請求項１記載のチーズサイジング方法。
…
６　ワックスが、モンタンワックス、木ロウ、カルナウバロウ…からなる群より選ばれた１種又は２種以上である請求項２記載のチーズサイジング方法。」（特許請求の範囲の１〜６）
イ：「水分散性カチオン性糊剤とは、ビニル単量体と不飽和カルボン酸とを乳化共重合させる際に、親水性カチオン性ポリマーを保護コロイドとして共存させることによって得られる共重合体からなる糊剤であり、…重合反応に保護コロイドとして共存させる親水性カチオン性ポリマーとしては、カチオン性澱粉…等を例示できる。」（第３ページ右下欄第６行〜第４ページ右上欄第１６行）
ウ：「本発明において、水分散性カチオン性糊剤と潤滑剤組成物は、水分散性カチオン性糊剤／潤滑剤組成物（重量比）＝１〜１５０、好ましくは５〜４０となるように使用されるのが望ましい。」（第５ページ左上欄第４〜７行）
エ：「合成実施例１　水分散性カチオン性糊剤の合成
　…ポリビニルアルコール（部分鹸化物、鹸化度８８％、重合度５００）５部、次の式で表されるトリエチルアミノヒドロキシエチル化澱粉…３０部及びイオン交換水５００部を加え…ポリオキシエチレン（ＥＯ付加モル数２０）ラウリルアルコール９部、…酢酸ビニル２０部…イオン交換水５５部を加え、７０℃に昇温し重合を開始した。
　重合開始２０分後から…第１表に示す如き種々の不飽和モノカルボン酸、不飽和ポリカルボン酸又は不飽和ポリカルボン酸の半エステルＸ部と酢酸ビニルＹ部を混合した溶液を滴下した。添加終了後、８０℃に昇温し反応を終結させた。」（第５頁左上欄第１７行〜右上欄末行）
オ：「第１表」に、「合成実施例１」の「糊剤Ｎｏ．」が「１の（１）」〜「１の（７）」として、「不飽和カルボン酸」の「種類」及び「Ｘ部」並びに「酢酸ビニル　Ｙ部」の組合せが記載されている。（第５ページ左下欄）
カ：「参考例　潤滑剤組成物（１）〜（１０）の調製
　以下に潤滑剤（１）〜（１０）を示す。」、及び、（１０）の組成として
「カルナウバロウ（酸価３２）　　　１２重量％
　モンタンワックス（酸価１４５）　　７
　白ロウ（酸価１５）　　　　　　　　４
　ラウリルアルコール　　　　　　　　７
　ＥＯ２０モル付加物
　水　　　　　　　　　　　　　　　７０」が記載されている。（第５ページ左下欄下から４行〜第６ページ右上欄第１５行）
キ：「実施例１
　合成実施例１で作った水分散性カチオン性糊剤Ｎｏ．１の（１）〜（９）及び潤滑剤（１）〜（１０）を第３表に示す量用いて、糊剤の吸着時間、チーズの内層、中層、外層の吸着量及びそのサイジング糸の抱合性を以下の方法により調べた。その結果を第２表に示す。
＜チーズサイジング方法＞
　…水分散性カチオン性糊剤の水性分散液を作り、４０℃でチーズ染色機（日本染色機械（株））で…処理した。その後、…ワックスとアニオン性界面活性剤を含む潤滑剤組成物の３０固型分％水溶液を…加え、…糊剤液が吸尽し、透明になるまで処理した。」（第６ページ右上欄第１６行〜左下欄第１７行）
ク：「第２表」における末行の「区分」が「比較例」の欄に、「水分散性カチオン性糊剤」の「糊剤Ｎｏ．」が「１の（５）」、「固型分％」が「１０」であり、「潤滑剤」の「Ｎｏ．」が「（１０）」、「見かけ％」が「３」、である組合せについて、「吸着時間」、「吸着量（固型分％）」「抱合力（回）」が記載されている。（第７ページの第２表）
　
　甲第２号証には以下の記載がある。
ケ：「表２．２．１　天然ワックスの成分」において、「カルナウバワックス」の「成分」における「ろうエステル」として、
「８０〜８５％　Ｃ４８〜Ｃ６４
　アルコール
　　　Ｃ２２〜Ｃ３６…
　脂肪酸　Ｃ１４〜Ｃ３４…
　ヒドロキシ酸エステルが３０〜３５％で、好乳化性の原因となっている。」と記載されている。（第７ページ）
　
　甲第３号証には以下の記載がある。
コ：「表２・５１　カルナウバろうのろうエステル中のヒドロキシ酸の炭素数分布」において、「炭素数」が１８、２０、２２、２４、２６、２８であるものの「ヒドロキシ酸［％］」が３、１３、１１、３８、２１、２０であることが記載されている。（第１３５ページ）
　
５．甲第１号証に記載された発明及び本件発明との対比
　摘示エからみて甲第１号証に記載された発明（以下「甲１発明」という。）における「水分散性カチオン性糊剤」には、若干量のポリビニルアルコール（部分鹸化物、鹸化度８８％、重合度５００）が含有されているものと認められ、また、摘示ケ、コを参照すると、カルナウバロウには炭素数６以上のヒドロキシ酸又はヒドロキシ酸エステルが含有されているものと認められ、さらに、摘示キのチーズサイジング方法からみて甲１発明における水分散性カチオン性糊剤と潤滑剤組成物を併用したもの全体が繊維糊剤組成物に相当するものと認めることができるから、これらを摘示アと併せ読むと、甲１発明は、「鹸化度８８％、重合度５００のポリビニルアルコールを含有する水分散性カチオン性糊剤と、炭素数１２以上のアニオン性界面活性剤を必須成分として含有し、更に炭素数６以上のヒドロキシ酸又はその誘導体を含有する潤滑剤組成物を併用してなる繊維糊剤組成物を使用するチーズサイジング方法。」の発明であると認められる。
　本件発明と甲１発明を対比すると、本件発明が、「ポリビニルアルコール系樹脂１００重量部に対して炭素数６以上のヒドロキシ脂肪酸又はその誘導体が０．１〜２０重量部配合されている」のに対して、甲１発明では、ポリビニルアルコールと炭素数６以上のヒドロキシ酸又はその誘導体との量比が不明である点で少なくとも相違する。
　なおこの点、特許異議申立人は、摘示カ〜クで示した第２表末行の比較例に言及して、摘示ウの「水分散性カチオン性糊剤／潤滑剤組成物（重量比）」の上限の値を採用すれば、甲第１号証には、本件発明におけるポリビニルアルコールと炭素数６以上のヒドロキシ脂肪酸又はその誘導体との量比に該当する記載がある旨を主張している。しかしながら、摘示ウはあくまでも甲１発明に属する組成についての記載であり、比較例に属する摘示クの組成について摘示ウに記載の「水分散性カチオン性糊剤／潤滑剤組成物（重量比）」の範囲を適用する余地はないから、この主張は採用しない。
　したがって、本件発明は、甲第１号証に記載された発明ではない。
　
６．むすび
　以上のとおりであるから、特許異議の申立ての理由及び証拠によっては、本件発明に係る特許を取り消すことができない。
　また、他に本件発明に係る特許を取り消すべき理由を発見しない。
　よって、結論のとおり決定する。
【異議決定日】
平成１５年１１月５日（２００３．１１．５）